(57)【要約】      （修正有）【課題】現在の電気配電システムにおいては、一揃い（phrase）出力信号が送出された後、応答が戻されている間は、他の信号の入出力が不可能になっている。これにより発生する、送受信遅延の問題、情報の量の制限の問題を解決すること。【解決手段】電気的出力配電ネットワーク（N）の各位相上で並行通信するための方法が提供される。第1アウトバウンド信号が、バス（S）の1位相上に送信され、送信完了と共に解放され、第2アウトバウンド信号が出力される。この第２信号は、前記第1信号に対する応答と並行して送信される。この装置は、前記第2アウトバウンド信号が送信されるとすぐに、再度、解放される。以後同様操作を繰り返す。この方法によって、前記ネットワーク（N）の全3位相上での並行通信が可能にされる。【選択図】図１
2004336770.tif 000002
【特許請求の範囲】
【請求項１】
電気出力配電ネットワーク（Ｎ）を用いた双方向通信システム（１０）において、前記ネットワークの各位相上で並行して通信信号を送信及び受信するための方法であって、
送信手段（ＯＭＵ）によって、第１位相（ＡＮ−Ａ）上に第１アウトバウンド信号（ＳＯ１）を送信するためのステップと、
前記バスの第２位相（ＢＮ−Ｂ又はＣＮ−Ｃ）上に第２アウトバウンド信号（ＳＯ２）が送信されるように、前記第１アウトバウンド信号（ＳＯ１）が送信されると即座に、前記送信手段を解放するステップであって、前記第１アウトバウンド信号（ＳＯ１）に応答して送信されるインバウンド信号（ＩＢ１）に並行して前記第２アウトバウンド信号を送信することによって前記ネットワークの２つの位相上に並行通信を提供する、前記送信手段を解放するステップとを有することを特徴とする方法。
【請求項２】
前記バスの第３位相（ＢＮ−Ｂ又はＣＮ−Ｃ）上に第３アウトバウンド信号（ＳＯ３）が送信されるように、前記第２アウトバウンド信号（ＳＯ２）が送信されると即座に、前記送信手段を解放するステップであって、前記第２アウトバウンド信号（ＳＯ２）に応答して送信される第２インバウンド信号（ＩＢ２）に並行して前記第３アウトバウンド信号を送信することによって前記ネットワーク（Ｎ）の全３位相上に並行通信を提供する、前記送信手段を解放するステップを更に有することを特徴とする方法。
【請求項３】
前記ネットワーク（Ｎ）の全３位相上に継続中の並行通信が存在しているように、請求項１及び請求項２に記載の複数の前記ステップを繰返すステップであって、前記ネットワークの前記通信バンド幅を非常に増大させる、請求項１及び請求項２に記載の複数の前記ステップを繰返すステップを更に有することを特徴とする請求項２に記載の方法。
【請求項４】
前記送信手段は、
前記３位相に関して利用可能な６つの出力経路（Ａ−Ｎ、Ｂ−Ｎ、Ｃ−Ｎ、Ａ−Ｂ、Ｂ−Ｃ、Ｃ−Ａ）を備えているアウトバウンド変調装置（ＯＭＵ）を有し、
前記第１アウトバウンド信号（ＳＯ１）の前記送信によって前記第２アウトバウンド信号に対して利用可能な出力経路の数が制限されるようにされており、
前記第２アウトバウンド信号（ＳＯ２）の前記送信によって前記第３アウトバウンド信号に対して利用可能な出力経路の数が制限されるようにされていることを特徴とする請求項２に記載の方法。
【請求項５】
前記アウトバウンド信号の各々がその上に送信される前記出力経路に対応する通信経路上の各インバウンド信号を受信するステップを更に有することを特徴とする請求項４に記載の方法。
【請求項６】
インバウンド信号を受信するように、前記通信経路内に受信手段（ＩＰＵ）を接続するステップを有することを特徴とする請求項５に記載の方法。
【請求項７】
任意の通信経路上のインバウンド信号を任意の受信手段で受信するべく、前記受信手段への入力が並行に接続されるように、各通信経路に受信手段を接続するステップを更に有することを特徴とする請求項６に記載の方法。
【請求項８】
電気出力配電ネットワーク（Ｎ）のための双方向通信システム（１０）において、該ネットワークの各位相上で情報を送信及び受信するための方法であって、
出力配電バス（Ｂ）の第１位相（ＡＮ−Ａ）の上に第１アウトバウンド信号（ＳＯ１）を送信するステップと、
前記第１アウトバウンド信号（ＳＯ１）が送信された後、前記バスの第２位相（ＢＮ−Ｂ又はＣＮ−Ｃ）の上に第２アウトバウンド信号（ＳＯ２）を送信するステップであって、前記第２アウトバウンド信号は、前記第１アウトバウンド信号（ＳＯ１）に応答して送信されるインバウンド信号（ＩＢ１）と並行して送信される、第２アウトバウンド信号（ＳＯ２）を送信するステップと、
前記第２アウトバウンド信号（ＳＯ２）が送信された後、前記バスの第３位相（ＢＮ−Ｂ又はＣＮ−Ｃ）の上に第３アウトバウンド信号（ＳＯ３）を送信するステップであって、前記第３アウトバウンド信号は、前記第２アウトバウンド信号（ＳＯ２）に応答して送信される第２インバウンド信号（ＩＢ２）と並行して送信される、第３アウトバウンド信号（ＳＯ３）を送信するステップとを有し、
前記ネットワーク（Ｎ）の全３位相上の並行通信を提供することを特徴とする方法。
【請求項９】
前記ネットワーク（Ｎ）の全３位相上で継続中の並行通信を提供するように、請求項８に記載の前記ステップを繰返すステップを更に有し、
前記ネットワークの前記通信バンド幅を非常に増大させることを特徴とする請求項８に記載の方法。
【請求項１０】
前記アウトバウンド信号の各々がその上に送信される前記位相に対応する通信経路上の各インバウンド信号を受信するステップを更に有することを特徴とする請求項８に記載の方法。
【請求項１１】
インバウンド信号を受信するように、前記通信経路内に受信手段（ＩＰＵ）を接続するステップを更に有することを特徴とする請求項１０に記載の方法。
【請求項１２】
任意の通信経路上のインバウンド信号を任意の受信手段で受信するべく、前記受信手段への入力が並行に接続されるように、各通信経路に受信手段を接続するステップを更に有することを特徴とする請求項１１に記載の方法。
【請求項１３】
ネットワークの各位相上で通信信号の送受信を並行して行うための、電気出力配電ネットワーク（Ｎ）に関する双方向通信システム（１０）であって、
バス（Ｂ）の第１位相（ＡＮ−Ａ）の上に第１アウトバウンド信号（ＳＯ１）を送信するための送信機（ＯＭＵ）と、
前記送信機によって前記バスの第２位相（ＢＮ−Ｂ又はＣＮ−Ｃ）の上に第２アウトバウンド信号（ＳＯ２）が送信されるように、前記第１アウトバウンド信号（ＳＯ１）が送信されると即座に、前記バスの前記第１位相から前記送信機を解放するよべく、前記第１アウトバウンド信号の前記送信に応答性の制御装置（１２）であって、前記第１位相上に生じる前記第１アウトバウンド信号（ＳＯ１）に応答して前記第１位相上に送信されるインバウンド信号（ＩＢ１）と並行して前記第２アウトバウンド信号が送信されるようにされており、前記ネットワークの２つの位相上に並行通信を提供する、制御装置（１２）とを有することを特徴とする通信システム。
【請求項１４】
前記制御装置は、前記送信機によって前記バスの第３位相（ＢＮ−Ｂ又はＣＮ−Ｃ）の上に第３アウトバウンド信号（ＳＯ３）が送信されるように、前記第２アウトバウンド信号（ＳＯ２）が送信されると即座に、前記バスの前記第２位相から前記送信機を解放するべく、前記第２アウトバウンド信号の前記送信に更に応答性であり、
前記第３アウトバウンド信号は、前記第２位相上に生じる前記第２アウトバウンド信号（ＳＯ２）に応答して前記第２位相上に送信されるインバウンド信号（ＩＢ２）と並行して送信されるようにされており、
前記ネットワークの３位相上に並行通信を提供することを特徴とする請求項１３に記載の通信システム。
【請求項１５】
前記アウトバウンド信号に応答して送信されるインバウンド信号を受信するように、前記アウトバウンド信号の各々がその上に送信される前記出力経路に対応する各通信経路内に受信手段（ＩＰＵ）を更に有することを特徴とする請求項１４に記載のシステム。
【請求項１６】
前記受信手段は、任意の受信手段によって任意の通信経路上を進行するインバウンド信号を受信するように、並行に接続されていることを特徴とする請求項１５に記載のシステム。
【請求項１７】
ネットワークの各位相上で通信信号の送受信を並行して行うための、３位相電気出力配電ネットワーク（Ｎ）に関する双方向通信システム（１０）であって、
バス（Ｂ）の第１位相（ＡＮ−Ａ）の上に第１アウトバウンド信号（ＳＯ１）を送信するための送信機（ＯＭＵ）と、
前記送信機によって第２位相（ＢＮ−Ｂ又はＣＮ−Ｃ）の上に第２アウトバウンド信号（ＳＯ２）が送信されるように、前記第１アウトバウンド信号（ＳＯ１）が送信されると即座に、前記バスの前記第１位相から前記送信機を解放するべく、前記第１アウトバウンド信号の前記送信に応答性の制御装置（１２）であって、前記第１位相上に生じる前記第１アウトバウンド信号（ＳＯ１）に応答して前記第１位相上に送信されるインバウンド信号（ＩＢ１）と並行して前記第２アウトバウンド信号が送信されるようにされており、それにより前記ネットワークの２つの位相上に並行通信を提供するようにされている、制御装置（１２）とを有し、
前記制御装置は、前記送信機によって第３位相（ＢＮ−Ｂ又はＣＮ−Ｃ）の上に第３アウトバウンド信号（ＳＯ３）が送信されるように、前記第２アウトバウンド信号（ＳＯ２）が送信されると即座に、前記バスの前記第２位相から前記送信機を解放するべく、前記第２アウトバウンド信号の前記送信に更に応答性であり、前記第２位相上に生じる前記第２アウトバウンド信号（ＳＯ２）に応答して前記第２位相上に送信されるインバウンド信号（ＩＢ２）と並行して前記第３アウトバウンド信号が送信されるようにされており、
前記ネットワークの３位相上に並行通信を提供することを特徴とするシステム。
【請求項１８】
前記アウトバウンド信号に応答して送信されるインバウンド信号を受信するように、前記アウトバウンド信号の各々がその上に送信される前記位相に対応する受信手段（ＩＰＵ）を各通信経路内に更に有することを特徴とする請求項１７に記載のシステム。
【請求項１９】
前記受信手段は、任意の通信経路上に送信されるインバウンド信号を受信可能なマルチプレクサを有することを特徴とする請求項１８に記載のシステム。
【請求項２０】
前記受信手段は、任意の通信経路上を進行するインバウンド信号を受信するように、任意の受信手段に対して並行に接続されていることを特徴とする請求項１９に記載のシステム。
【発明の詳細な説明】
【技術分野】
【０００１】
本発明は、双方向通信システム(TWACS(登録商標))を用いている多位相（3Φ）出力送信システムに関し、より詳しくは、複数の位相のうちの2以上の位相上でのデータ及びその他の情報の並行送信に関する。
【０００２】
（関連出願のクロスリファレンス）
無し。
【０００３】
（政府出資による研究開発の表示）
該当無し。
【背景技術】
【０００４】
電気配電システム上でのメッセージの送受信は公知である。双方向通信システム及び双方向通信に用いられる技法を教示する特許には、特許文献１、特許文献２、特許文献３、特許文献４、特許文献５、特許文献６、特許文献７、及び特許文献８が含まれる。これらの文献は全て本願と同一の譲渡人に譲渡されている。実際には、情報又はデータに対する要求が、3位相配電ネットワークの1位相の中に投入される「アウトバウンド」メッセージに形成されて、ネットワークを介して建物内の電気計器等の遠隔地に送信される。このメッセージは、例えば、現場での現在の電気消費量に関する情報の要求であってよい。すると、返答又は「インバウンド」メッセージが、従来的には配電システムを含む電力網内のサブステーションである中継局へと同じ位相上を逆方向に送信される。このインバウンド・メッセージが処理されるときに、この要求した情報を用いて特定時間におけるシステム上での総需要等が測定される。
【０００５】
TWACSは、自動計測(AMR)装置、負荷制御装置、及び自宅内、工場内、事務所内、建物内等、配電システムの到るところに取付けられたその他の種類のモニタリング装置又は制御装置等の種々の遠隔装置と共に用いられる。各遠隔装置は、取付けられた後に、6つの通信経路のうちの1つを介してアクセスすることが可能である。1つの通信経路は、フェーザ、AN、BN、CN、AB、BC又はCAを組合わせたアウトバウンド位相とインバウンド戻り経路ΦA、ΦB、又はΦCとから構成される。この通信経路は、各場所ごとに電気的接続によって規定される。この通信経路は、取付け後にシステムによって決定されて、後の使用のために記録される。従って、所定位置の計測器等の一連の遠隔装置の中には、ΦA上のインバウンド信号を戻すが、ΦB又ΦC上の信号を戻さない遠隔装置もあれば；ΦB上のインバウンド信号を戻すが、ΦA又はΦC上の信号を戻さない遠隔装置もあれば；ΦC上のインバウンド信号を戻すが、ΦA又はΦB上の信号を戻さない遠隔装置もある。
【０００６】
現在のこのシステムでは、アウトバウンド・メッセージが一揃い（phrase）の組合わせの上を送出された後、インバウンド応答が戻されている間は、このインバウンド処理が完了するまで他のアウトバウンド及びインバウンドの処理を行うことが不可能になっている。これにより発生する問題は、アウトバウンド及びインバウンドのTWACS信号送受信遅延、及びその結果生じる任意の一時点において送受信可能な情報の量の制限である。もし、3位相全ての上で信号の送受信を並行して行うことが可能であるならば、通信ネットワークのバンド幅は、効果的に3倍化されて、それにより情報の流れ及びシステム応答時間が向上されるであろう。
【０００７】
【特許文献１】米国特許第5,696,441号
【特許文献２】米国特許第5,486,805号
【特許文献３】米国特許第5,262,755号
【特許文献４】米国特許第4,996,513号
【特許文献５】米国特許第4,963,853号
【特許文献６】米国特許第4,918,422号
【特許文献７】米国特許第4,914,418号
【特許文献８】米国特許第4,658,238号
【発明の開示】
【発明が解決しようとする課題】
【０００８】
現在の電気配電システムにおいては、アウトバウンド・メッセージが一揃い（phrase）の組合わせの上を送出された後、インバウンド応答が戻されている間は、このインバウンド処理が完了するまで他のアウトバウンド及びインバウンドの処理を行うことが不可能になっている。これにより発生する、アウトバウンド及びインバウンドのTWACS信号の送受信遅延の問題、並びにその結果生じる任意の一時点における送受信可能な情報の量の制限の問題を解決すること。
【課題を解決するための手段】
【０００９】
前記のような目的を達成するため、本発明は、電気出力配電ネットワーク上の全ての位相の上で並行して通信を行うための方法を提供する。第1アウトバウンド信号が、アウトバウンド変調装置によって3位相バスのうちの1フェーザ上を送信される。このアウトバウンド変調装置は、第1アウトバウンド信号が送信されると即座に解放される。これによって、装置がバスの別のフェーザ上に第2アウトバウンド信号を送信することが可能にされる。その際、この第2アウトバウンド信号は、前記第1アウトバウンド信号に応答して第1位相上を戻されているインバウンド信号と並行して送信される。アウトバウンド変調装置は、第2アウトバウンド信号が送信されると再び即座に解放されて、それにより、この装置は、バスの第3フェーザ上を第3アウトバウンド信号を送信することが可能にされる。この第3アウトバウンド信号は、前記第2アウトバウンド信号に応答して第2位相上を戻されている第2インバウンド信号と並行して送信される。
【発明の効果】
【００１０】
本発明が提供する方法によって、ネットワークの全3位相上での並行通信が可能にされて、それにより、ネットワークの通信バンド幅が非常に増大されて、電気的需要の変化に対するより高速なシステム応答が可能にされる。更に、この方法は、処理されるコマンドが存在する限り繰返される。
【００１１】
更に、サブステーション内の受信マルチプレクサ・アセンブリは、サブステーションにおける各受信アセンブリが、双方向通信に対して利用可能であるように並行に配線される。本発明の制御装置及び受信装置は、この双方向位相通信能力を支援しており、双方向処理される最高4つのインバウンド応答信号が可能にされる。
【００１２】
その他の目的及び特性は、一部は明らかであろうし、他の一部は以下の本明細書中に示されている。
【発明を実施するための最良の形態】
【００１３】
以下の詳細な説明は、本発明を例示を目的として示されており、制限を目的としたものではない。この詳説によって、当業者による本発明の製造及び使用が明確に可能にされて、本発明を実施するための現在における最良の形態であると我々が考えているものを含む、本発明の複数の実施例、適用例、変形実施例、代替実施例、及び使用が説明される。上記の構成は、本発明の範疇から外れることなしに、種々の変更を行うことが可能であり、上記説明に包含されるか、若しくは付随の図面で図示される全ての事例は、制限の意味としてではなく、例示として解釈される必要がある。
【００１４】
図面を参照すると、電気出力配電ネットワークNは電力生成設備G及び送電システムTNSを含んでおり、一連のサブステーションSを通してその電気出力が配電される。各サブステーションは、多数の自宅、オフィスビル、工場等に電力を供給する。各建物には、自動計測装置又はAMRのために設計された電気計器Mが設けられている。本発明の双方向通信システム１０によって、各計器に個別にアクセスして、サブステーションに戻されて最終的には電力設備に戻される報告結果を読取ることが可能にされる。これによって、電力使用、需要変化、及び供給停止位置等に関連する情報の報告が可能にされる。各サブステーションには、この目的のためにサブステーション通信設備（SCE）が設けられている。このシステムは、双方向グループ・アクセシングを用いており、図１に図示されているように、複数の計器Mが、これらの3位相全てに渡って概ね均等に配置されている。サブステーションSから計器への通信経路は、例えば、位相検波方式のライン−ニュートラルのアウトバウンドであり、上記で参照した特許文献に全て説明されている。ここでの言及を以って、それら特許文献の全文を本明細書の一部とする。各計器Mは、取付けられている間、1のバス上のサブステーションSからアウトバウンド信号（SO）を受取り、且つ同一バス上に応答又はインバウンド信号（IB）を送信するようにプログラムされている。このアウトバウンド信号は、現在の電力使用等の情報に対する要求と共に、個々の計器に特有のアドレスを含んでいる。同様に、インバウンド信号は、例えば、現在の電力使用を示すデータ等と共に、計器アドレスを含んでいる。当業者は、その他の情報、要求、及びコマンドをアウトバウンド信号中に組込むと共に、それらに対応する応答をインバウンド信号中に組込んでもよいことを理解するであろう。更に、当業者は、1つの位相を利用して双方向通信をするようにプログラミングされている全ての計器は、その他の2位相のうちの1つを使用することに対応不可能であることも理解するであろう。
【００１５】
前述のように、従来的には、1つのバス上での、アウトバウンド信号の送信、及びインバウンド信号の受信は、同一バス上に別のアウトバウンド信号を送信する前に行うことが必要であった。本発明によれば、同一バス上のサブステーション通信設備によって最高3つの別個のアウトバウンド信号及びその戻りのインバウンド信号の並行処理を可能にする方法及び装置、並びに2以上のバスを備えるサブステーション上で最高4つの別個のアウトバウンド信号及びその戻りの信号を可能にする方法及び装置が提供される。以下で説明されるように、各アウトバウンド信号が、同一バス上での使用において、任意の位相上でインバウンド応答検出に干渉しないと仮定するならば、本発明のシステム及び方法によって単一バスの全3位相上での通信を並行して行うことが可能にされる。
【００１６】
本発明によれば、一度、マスタ・ステーションMSがAMRクエリ周期を開始すると、このマスタ・ステーションによって、処理されるコマンドが制御及び受信の装置CRUに送信される。このCRUは、最高15のコマンドをキュー内に蓄積して、処理するコマンドをこのキューから選択する。このCRUは、例えば、ラインA-N上に挿入されるアウトバウンド信号OS1（図３参照）を生成するように、アウトバウンド変調装置OMUに命令を出す。このOMUは、アウトバウンド信号をその上で送信可能な最高6つのアウトバウンド経路：ラインA-N、B-N、C-N、A-B、B-C、及びC-Aを有する。応答信号は、同一のライン上を戻される。即ち、ANアウトバウンド信号への応答は、ラインA及びN上を戻されて；BNアウトバウンド信号への応答は、ラインB及びN上を戻されて；CNアウトバウンド信号への応答は、ラインC及びN上を戻される。同様にして、ABアウトバウンド信号への応答は、ラインA及びB上を戻されて；BCアウトバウンド信号への応答は、ラインB及びC上を戻されて；CAアウトバウンド信号への応答は、ラインC及びA上を戻される。電流変圧器を有するインバウンド信号ピックアップ装置IPUは、インバウンド信号を検出して、CRUのステーション通信プロセッサ・アセンブリSCPAの相関受信機及びプロセッサ・アセンブリCRPAに提供する。この信号は、相関受信機マルチプレクサ・アセンブリCRMAを介してCRPAに提供される。このアセンブリによって、32:1のマルチプレクシング性能、及びインバウンド信号のアナログ-デジタル（A/D）変換が提供される。
【００１７】
アウトバウンド信号がラインA-Nに提供されると即座に、OMUによってメッセージ終了（EOM）信号がSCEに送信される。これによって、OMUが解放されて、別のアウトバウンド信号を送信することが可能にされる。図３に図示されるように、A位相上でインバウンド信号IB1の検出が継続中になっている一方で、SCEによって、前のインバウンド信号の処理に干渉することなく処理が可能な別の信号が選択される。従って、この新規のアウトバウンド信号は、BN信号、CN信号、又はBC信号のいずれかであり得る。SCEによってBN-B信号の処理が開始されると仮定すると、このOMUによってアウトバウンド信号OS2が生成されて、ラインB-N上に供給される。そして、このラインに接続されているアセンブリCRPAによって、位相B上の戻りインバウンド信号IB2の処理が開始される。
【００１８】
この場合も同様に、ラインB-N上にアウトバウンド信号が送信されると即座に、OMUによってSCEにEOM信号が送信されて、OMUが解放される。この場合も、SCEによって、継続中のインバウンド信号を干渉することなく実行可能な、そのキューの中にあるコマンドが探される。次に、このアウトバウンド信号は、CN信号である必要がある。なぜならば、これが唯一、位相A及び位相Bの各々に関してライン上で受信される前の2つのインバウンド信号と干渉しない信号であるからである。第3アウトバウンド信号OS3が送信されてしまえば、3つの信号が並行に処理されることとなり、前のアウトバウンド信号に応答するインバウンド信号の処理が完了するまで、SCEによって別のアウトバウンド信号SO4-SO6の送信が開始されることは不可能である。インバウンド処理が完了してしまえば、SCEによって別のアウトバウンド信号SO4がラインA-N上に（SCEキューのこのラインに対するコマンドが存在していると仮定すれば）生成されることが可能である。
【００１９】
図３に図示されるように、本発明によれば、応答として送信されるインバウンド応答信号IB4-IB6中に、アウトバウンド信号SO4-SO6の送信が生じる。アウトバウンド信号SO4及びその応答信号IB4の送信は、インバウンド戻り信号IB2及びIB3と並行しており、以下同様に送信が並行している。この処理は、SCEが並行して処理可能なコマンドを有しており、且つ3つのライン-ニュートラル位相の全てが並行して実行可能である限り、継続される。
【００２０】
本発明のシステム及び方法の実行に関するタイミングの一例では、従来的なアウトバウンド信号は、送信に約5秒かかる。その応答インバウンド信号のための時間は約30秒であり、従って、各アウトバウンド/インバウンド周期のための総時間は、約35秒である。
【００２１】
本発明のシステム及び方法の重要性は、電気配電ネットワークNの潜在的通信バンド幅が3倍にされる点である。この方法は、ライン−ライン及びライン−ニュートラルの両方の位相に対して効果があるが、ライン−ラインの計器の向上に関しては、バンド幅の2倍に制限されてしまう。
【００２２】
最後に、システム１０は、IPUの電流変圧器CTの入力を、システム内で用いられる各CRMAにマッピングすることを可能にする「シャドーイング（shadowing）」特性を用いている。即ち、第1相関受信マルチプレクサ・アセンブリCRMA上の1ポートに接続された任意のIPU入力が、CRUに取付けられたその他全ての相関受信マルチプレクサ・アセンブリCRMA上の同一ポートにも同様にして接続されるようにされている。従って、SCE内の1つのCRMAにマッピングされた入力は、自動的にその他のCRMAにマッピングされる。その結果生じるIPUのシャドーイング特性は、並行位相通信が用いられるときはいつでも使用可能にされている。
【００２３】
上記を鑑みると、本発明の複数の目的及び利点が達成され、且つその他の効果的な結果も得られることが理解できるであろう。
【図面の簡単な説明】
【００２４】
一致する参照文字は、複数の図面にわたって対応する部分を示している。
【図１】電気配電ネットワークの簡略化された図である。
【図２】ネットワーク上の双方向通信システムが図示されている。
【図３】本発明による双方向位相通信が図示されている信号フローチャートである。
【図１】
2004336770.tif 000003
【図２】
2004336770.tif 000004
【図３】
2004336770.tif 000005